(57)【要約】【課題】  閃光部で発光する光を被写体そのものに向けて効率良く照射する。【解決手段】  カメラ本体１にズーム機能部を有する撮影部２を設け、この撮影部２で被写体を撮影するときに第１、第２ストロボ部４、５を発光させる電子カメラにおいて、第１、第２ストロボ部４、５で発光する光の放射方向を撮影時における撮影部２の焦点距離に応じて光照射調節機構３４で可変させる。従って、撮影部２で被写体を撮影するときに、光照射調節機構３４によって第１、第２ストロボ部４、５で発光する光の放射方向を撮影時における撮影部２の焦点距離に応じて調節することができる。このため、第１、第２ストロボ部４、５で発光した光を確実に被写体に向けて効率良く照射させることができ、これにより被写体そのものを明るく照明することができる。【選択図】        図１０
2005107073.tif 000002
【特許請求の範囲】
【請求項１】
装置本体と、この装置本体に設けられたズーム機能部を有する撮影部と、この撮影部で被写体を撮影するときに閃光を発する閃光部とを備えた撮影装置において、
前記閃光部で発光する光の放射方向またはその光の放射範囲を前記撮影部の撮影状態に応じて可変させる光照射調節機構を備えたことを特徴とする撮影装置。
【請求項２】
前記撮影部の前記ズーム機能部を磁力によってズーム移動させるズーム駆動部を備えていることを特徴とする請求項１に記載の撮影装置。
【請求項３】
前記光照射調節機構は、前記閃光部で発光する光の放射方向またはその光の放射範囲を撮影時における前記撮影部の焦点距離に応じて可変させることを特徴とする請求項１または２に記載の撮影装置。
【請求項４】
前記閃光部は発光素子とリフレクタとを複数組み備え、前記光照射調節機構は撮影時における前記撮影部の焦点距離に応じて前記複数組みの各リフレクタによる照射角度を可変させることを特徴とする請求項３に記載の撮影装置。
【請求項５】
前記閃光部は発光素子とリフレクタとからなり、前記光照射調節機構は撮影時における前記撮影部の焦点距離に応じて前記発光素子を前記リフレクタの焦点位置に対し可変させることを特徴とする請求項３に記載の撮影装置。
【請求項６】
前記光照射調節機構は、前記閃光部で発光する光の放射方向またはその光の放射範囲を撮影時における前記撮影部の望遠状態と広角状態とに応じて可変させることを特徴とする請求項１または２に記載の撮影装置。
【請求項７】
前記閃光部は発光素子とリフレクタとを複数組み備え、前記光照射調節機構は撮影時における前記撮影部の望遠状態と広角状態とに応じて前記複数組みの各リフレクタによる照射角度を可変させることを特徴とする請求項６に記載の撮影装置。
【請求項８】
前記閃光部は発光素子とリフレクタとからなり、前記光照射調節機構は撮影時における前記撮影部の望遠状態と広角状態とに応じて前記発光素子を前記リフレクタの焦点位置に対し可変させることを特徴とする請求項６に記載の撮影装置。
【請求項９】
撮影モードを設定する設定手段を更に備えており、
前記光照射調節機構は、前記設定手段により設定された撮影モードの設定状態と前記距離測定部による被写体までの焦点距離の長さとに応じて、前記閃光部で発光する光の放射方向またはその光の放射範囲を可変させる調節機構を備えていることを特徴とする請求項１に記載の撮影装置。
【請求項１０】
前記閃光部は、発光ダイオードからなることを特徴とする請求項１に記載の撮影装置。
【請求項１１】
装置本体と、この装置本体に設けられたズーム機能部と焦点距離測定部とを有する撮影部と、この撮影部で被写体を撮影するときに閃光を発する閃光部とを備えた撮影装置において、
前記閃光部で発光する光の放射方向またはその光の放射範囲を前記距離測定部による被写体までの焦点距離の長さに応じて可変させる光照射調節機構を備えたことを特徴とする撮影装置。
【請求項１２】
前記撮影部の前記ズーム機能部を磁力によってズーム移動させるズーム駆動部を備えていることを特徴とする請求項１１に記載の撮影装置。
【請求項１３】
前記光照射調節機構は、前記閃光部で発光する光の放射方向またはその光の放射範囲を撮影時における前記距離測定部による焦点距離の長さに応じて可変させることを特徴とする請求項１１に記載の撮影装置。
【請求項１４】
前記閃光部は発光素子とリフレクタとを複数組み備え、前記光照射調節機構は撮影時における前記距離測定部による焦点距離の長さに応じて前記複数組みの各リフレクタによる照射角度を可変させることを特徴とする請求項１３に記載の撮影装置。
【請求項１５】
前記閃光部は発光素子とリフレクタとからなり、前記光照射調節機構は撮影時における前記距離測定部による焦点距離の長さに応じて前記発光素子を前記リフレクタの焦点位置に対し可変させることを特徴とする請求項１３に記載の撮影装置。
【請求項１６】
前記光照射調節機構は、前記閃光部で発光する光の放射方向またはその光の放射範囲を撮影時における前記撮影部の望遠状態と広角状態とに応じて可変させることを特徴とする請求項１１に記載の撮影装置。
【請求項１７】
前記閃光部は発光素子とリフレクタとを複数組み備え、前記光照射調節機構は撮影時における前記撮影部の望遠状態と広角状態とに応じて前記複数組みの各リフレクタによる照射角度を可変させることを特徴とする請求項１６に記載の撮影装置。
【請求項１８】
前記閃光部は発光素子とリフレクタとからなり、前記光照射調節機構は撮影時における前記撮影部の望遠状態と広角状態とに応じて前記発光素子を前記リフレクタの焦点位置に対し可変させることを特徴とする請求項１６に記載の撮影装置。
【請求項１９】
撮影モードを設定する設定手段を更に備えており、
前記光照射調節機構は、前記設定手段により設定された撮影モードの設定状態と前記距離測定部による被写体までの焦点距離の長さとに応じて、前記閃光部で発光する光の放射方向またはその光の放射範囲を可変させる調節機構を備えていることを特徴とする請求項１１に記載の撮影装置。
【請求項２０】
前記閃光部は、発光ダイオードからなることを特徴とする請求項１１に記載の撮影装置。
【発明の詳細な説明】
【技術分野】
【０００１】
この発明は、電子カメラや携帯電話機などの電子機器に用いられる撮影装置に関する。
【背景技術】
【０００２】
従来、電子カメラにおいては、撮影レンズ部で被写体の画像をＣＣＤなどの撮像素子に投影し、この投影された被写体の画像を撮像素子で画像データとして取り込む撮影部を備え、この撮影部で被写体を撮影するときに、ストロボ部を発光させて閃光を被写体に向けて照射させるように構成されている。
【０００３】
この種の電子カメラには、撮影時にカメラ本体の周囲の明るさを検出してストロボ部による閃光状態を調節するために、カメラ本体にストロボ部として複数の発光素子を設け、これら発光素子を周囲の明かるに応じて選択的に発光させることにより、閃光状態を調節するように構成したものがある。
【０００４】
しかしながら、このような電子カメラでは、カメラ本体の周囲の明かるさに応じて複数の発光素子を選択して閃光させることにより、撮影部の周囲を明かるくすることはできても、複数の発光素子による閃光が常に一定の状態、つまり発光素子による光の放射方向または放射範囲が一定であるため、発光素子による光を被写体に向けて効率良く照射することができず、被写体そのものを明るく照明することが難しいという問題がある。
【特許文献１】特開２００３−１１４４６３号公報
【発明の開示】
【発明が解決しようとする課題】
【０００５】
この発明が解決しようとする問題点は、発光素子などの閃光部で発光した光を被写体そのものに向けて効率良く照射することが難しいことにある。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図２１に示すように、装置本体（カメラ本体１、第１、第２ケース６１、６２）と、この装置本体に設けられたズーム機能部（ズーム機構部１９）を有する撮影部（２）と、この撮影部で被写体を撮影するときに閃光を発する閃光部（第１、第２ストロボ部４、５またはストロボ部５０）とを備えた撮影装置において、前記閃光部で発光する光の放射方向またはその光の放射範囲を前記撮影部の撮影状態に応じて可変させる光照射調節機構（３４、５１、５５）を備えたことを特徴とする撮影装置である。
【０００７】
請求項２に記載の発明は、図１〜図２１に示すように、前記撮影部（２）の前記ズーム機能部（ズーム機構部１９）を磁力によってズーム移動させるズーム駆動部（電磁コイル部２６および第１〜第３永久磁石２７〜２９）を備えていることを特徴とする請求項１に記載の撮影装置である。
【０００８】
請求項３に記載の発明は、図１〜図１３、図１６〜図２１に示すように、前記光照射調節機構（３４、５１）が前記閃光部（第１、第２ストロボ部４、５またはストロボ部５０）で発光する光の放射方向またはその光の放射範囲を撮影時における前記撮影部（２）の焦点距離に応じて可変させることを特徴とする請求項１または２に記載の撮影装置である。
【０００９】
請求項４に記載の発明は、図１〜図１０、図１６〜図２１に示すように、前記閃光部（第１、第２ストロボ部４、５）が発光素子（３０）とリフレクタ（３１）とを複数組み備え、前記光照射調節機構（３４）が撮影時における前記撮影部（２）の焦点距離に応じて前記複数組みの各リフレクタによる照射角度を可変させることを特徴とする請求項３に記載の撮影装置である。
【００１０】
請求項５に記載の発明は、図１１〜図１３に示すように、前記閃光部（ストロボ部５０）が発光素子（３０）とリフレクタ（３１）とからなり、前記光照射調節機構（５１）が撮影時における前記撮影部（２）の焦点距離に応じて前記発光素子を前記リフレクタの焦点位置に対し可変させることを特徴とする請求項３に記載の撮影装置である。
【００１１】
請求項６に記載の発明は、図１４および図１５に示すように、前記光照射調節機構（５５）が前記閃光部（第１、第２ストロボ部４、５またはストロボ部５０）で発光する光の放射方向またはその光の放射範囲を撮影時における前記撮影部（２）の望遠状態と広角状態とに応じて可変させることを特徴とする請求項１または２に記載の撮影装置である。
【００１２】
請求項７に記載の発明は、図１４および図１５に示すように、前記閃光部（第１、第２ストロボ部４、５）が発光素子（３０）とリフレクタ（３１）とを複数組み備え、前記光照射調節機構（５５）が撮影時における前記撮影部（２）の望遠状態と広角状態とに応じて前記複数組みの各リフレクタによる照射角度を可変させることを特徴とする請求項６に記載の撮影装置である。
【００１３】
請求項８に記載の発明は、図１１〜図１４に示すように、前記閃光部（ストロボ部５０）が発光素子（３０）とリフレクタ（３１）とからなり、前記光照射調節機構（５１）が撮影時における前記撮影部（２）の望遠状態と広角状態とに応じて前記発光素子を前記リフレクタの焦点位置に対し可変させることを特徴とする請求項６に記載の撮影装置である。
【００１４】
請求項９に記載の発明は、撮影モードを設定する設定手段を更に備えており、前記光照射調節機構が、前記設定手段により設定された撮影モードの設定状態と前記距離測定部による被写体までの焦点距離の長さとに応じて、前記閃光部で発光する光の放射方向またはその光の放射範囲を可変させる調節機構を備えていることを特徴とする請求項１に記載の撮影装置である。
【００１５】
請求項１０に記載の発明は、前記閃光部が発光ダイオードからなることを特徴とする請求項１に記載の撮影装置である。
【００１６】
請求項１１に記載の発明は、装置本体と、この装置本体に設けられたズーム機能部と焦点距離測定部とを有する撮影部と、この撮影部で被写体を撮影するときに閃光を発する閃光部とを備えた撮影装置において、前記閃光部で発光する光の放射方向またはその光の放射範囲を前記距離測定部による被写体までの焦点距離の長さに応じて可変させる光照射調節機構を備えたことを特徴とする撮影装置である。
【００１７】
請求項１２に記載の発明は、前記撮影部の前記ズーム機能部を磁力によってズーム移動させるズーム駆動部を備えていることを特徴とする請求項１１に記載の撮影装置である。
【００１８】
請求項１３に記載の発明は、前記光照射調節機構が、前記閃光部で発光する光の放射方向またはその光の放射範囲を撮影時における前記距離測定部による焦点距離の長さに応じて可変させることを特徴とする請求項１１に記載の撮影装置である。
【００１９】
請求項１４に記載の発明は、前記閃光部が発光素子とリフレクタとを複数組み備え、前記光照射調節機構が撮影時における前記距離測定部による焦点距離の長さに応じて前記複数組みの各リフレクタによる照射角度を可変させることを特徴とする請求項１３に記載の撮影装置である。
【００２０】
請求項１５に記載の発明は、前記閃光部が発光素子とリフレクタとからなり、前記光照射調節機構が撮影時における前記距離測定部による焦点距離の長さに応じて前記発光素子を前記リフレクタの焦点位置に対し可変させることを特徴とする請求項１３に記載の撮影装置である。
【００２１】
請求項１６に記載の発明は、前記光照射調節機構が、前記閃光部で発光する光の放射方向またはその光の放射範囲を撮影時における前記撮影部の望遠状態と広角状態とに応じて可変させることを特徴とする請求項１１に記載の撮影装置である。
【００２２】
請求項１７に記載の発明は、前記閃光部が発光素子とリフレクタとを複数組み備え、前記光照射調節機構が撮影時における前記撮影部の望遠状態と広角状態とに応じて前記複数組みの各リフレクタによる照射角度を可変させることを特徴とする請求項１６に記載の撮影装置である。
【００２３】
請求項１８に記載の発明は、前記閃光部が発光素子とリフレクタとからなり、前記光照射調節機構が撮影時における前記撮影部の望遠状態と広角状態とに応じて前記発光素子を前記リフレクタの焦点位置に対し可変させることを特徴とする請求項１６に記載の撮影装置である。
【００２４】
請求項１９に記載の発明は、撮影モードを設定する設定手段を更に備えており、前記光照射調節機構は、前記設定手段により設定された撮影モードの設定状態と前記距離測定部による被写体までの焦点距離の長さとに応じて、前記閃光部で発光する光の放射方向またはその光の放射範囲を可変させる調節機構を備えていることを特徴とする請求項１１に記載の撮影装置である。
【００２５】
請求項２０に記載の発明は、前記閃光部が発光ダイオードからなることを特徴とする請求項１１に記載の撮影装置である。
【発明の効果】
【００２６】
請求項１に記載の発明によれば、閃光部で発光する光の放射方向またはその光の放射範囲を撮影部の撮影状態に応じて可変させる光照射調節機構を備えているので、撮影部で被写体を撮影するときに、撮影部の撮影状態に応じて光照射調節機構が閃光部で発光する光の放射方向またはその光の放射範囲を調節することができ、このため閃光部で閃光した光を確実に被写体に向けて効率良く照射させることができ、これにより被写体そのものを明るく照明することができ、暗い所でも鮮明に被写体を撮影することができる。
【００２７】
また、請求項１１に記載の発明によれば、閃光部で発光する光の放射方向またはその光の放射範囲を距離測定部による被写体までの焦点距離の長さに応じて可変させる光照射調節機構を備えているので、撮影部で被写体を撮影するときに、撮影部の撮影状態に応じて光照射調節機構が閃光部で発光する光の放射方向またはその光の放射範囲を調節することができ、このため閃光部で閃光した光を確実に被写体に向けて効率良く照射させることができ、これにより被写体そのものを明るく照明することができ、暗い所でも鮮明に被写体を撮影することができる。
【００２８】
請求項２および請求項１２に記載の発明によれば、撮影部のズーム機能部を磁力によってズーム移動させるズーム駆動部を備えているので、機械的にズーム機能部をズーム移動させる構造のものに比べて、撮影部をコンパクトに構成することができる共に、撮影部のズーム機能部をズーム駆動部の磁力によって移動させるので、機構的な部分が少なく、撮影部が機械的に動作する構造に比べて、構造が簡単で、携帯時における耐衝撃性も高く、衝撃による故障を軽減することができる。
【００２９】
請求項３および請求項１３に記載の発明によれば、光照射調節機構が閃光部で発光した光の放射方向またはその光の放射範囲を撮影時における撮影部の焦点距離に応じて可変させるので、焦点距離の長い遠くの被写体を撮影するときにも、また焦点距離の短い近くの被写体を撮影するときにも、閃光部で発光した光の放射方向またはその光の放射範囲を光照射調節機構によって調節することができ、これにより閃光部の光を確実に被写体に向けて効率良く照射させることができ、このため焦点距離の長い遠くの被写体を撮影するときにも、焦点距離の短い近くの被写体を撮影するときにも、被写体を明るく照明することができる。
【００３０】
請求項４および請求項１４に記載の発明によれば、閃光部が発光素子とリフレクタとを複数組み備え、光照射調節機構が撮影時における撮影部の焦点距離に応じて複数組みの各リフレクタによる照射角度を可変させるので、例えば焦点距離の長い遠くの被写体を撮影するときには、撮影部の光軸に対するリフレクタの光軸の交差角度が小さくなるように、リフレクタの回転角度を小さくし、また焦点距離の短い近くの被写体を撮影するときには、撮影部の光軸に対するリフレクタの光軸の交差角度が大きくなるように、リフレクタの回転角度を大きくし、これにより焦点距離が長くても短くても、閃光部の光を被写体に向けて集中させて照射することができ、このため被写体を明るく照明することができる。
【００３１】
請求項５および請求項１５に記載の発明によれば、閃光部が発光素子とリフレクタとからなり、光照射調節機構が撮影時における撮影部の焦点距離に応じて閃光部の発光素子をリフレクタの焦点位置に対し可変させるので、例えば焦点距離の長い遠くの被写体を撮影するときには、光照射調節機構が発光素子をリフレクタの焦点位置に近づけるように移動させて、リフレクタによって放射される光をリフレクタの光軸とほぼ平行にし、これにより発光素子の光を被写体に向けて集中させて照射することができ、また焦点距離の短い近くの被写体を撮影するときには、光照射調節機構が発光素子をリフレクタの焦点位置から離れるように移動させて、リフレクタによって放射される光をリフレクタの光軸に対し拡散放射させ、これにより発光素子の光を被写体に向けて拡散させて照射させることができ、このため焦点距離が長くても短くても、被写体を明るく照明することができる。
【００３２】
請求項６および請求項１６に記載の発明によれば、光照射調節機構が閃光部で発光した光の放射方向またはその光の放射範囲を撮影時における撮影部の望遠状態と広角状態とに応じて可変させるので、望遠状態で被写体を撮影するときにも、また広角状態で被写体を撮影するときにも、閃光部で発光した光の放射方向またはその光の放射範囲を光照射調節機構によって調節することができ、これにより閃光部の光を確実に被写体に向けて効率良く照射させることができ、このため望遠状態で被写体を撮影するときにも、また広角状態で被写体を撮影するときにも、被写体を明るく照明することができる。
【００３３】
請求項７および請求項１７に記載の発明によれば、閃光部が発光素子とリフレクタとを複数組み備え、光照射調節機構が複数組みの各リフレクタによる照射角度を撮影時における撮影部の望遠状態と広角状態とに応じて可変させるので、例えば望遠状態で被写体を撮影するときには、撮影部の光軸に対するリフレクタの光軸の交差角度が小さくなるように、リフレクタの回転角度を小さくし、また広角度状態で被写体を撮影するときには、撮影部の光軸に対するリフレクタの光軸の交差角度が大きくなるように、リフレクタの回転角度を大きくし、これにより望遠状態でも広角状態でも、閃光部の光を被写体に向けて集中させて照射することができ、このため被写体を明るく照明することができる。
【００３４】
請求項８および請求項１８に記載の発明によれば、閃光部が発光素子とリフレクタとからなり、光照射調節機構が撮影時における撮影部の望遠状態と広角状態とに応じて発光素子をリフレクタの焦点位置に対し可変させるので、例えば望遠状態で被写体を撮影するときには、光照射調節機構が発光素子をリフレクタの焦点位置に近づけるように移動させて、リフレクタによって放射される光をリフレクタの光軸とほぼ平行にし、これにより発光素子の光を被写体に向けて集中させて照射することができ、また広角状態で被写体を撮影するときには、光照射調節機構が発光素子をリフレクタの焦点位置から離れるように移動させて、リフレクタによって放射される光をリフレクタの光軸に対し拡散放射させ、これにより発光素子の光を被写体に向けて拡散させて照射させることができ、このため撮影時における撮影部が望遠状態でも広角状態でも、被写体を明るく照明することができる。
【発明を実施するための最良の形態】
【００３５】
（実施形態１）
以下、図１〜図１０を参照して、この発明を電子カメラに適用した実施形態１について説明する。
図１はこの発明の電子カメラを前面側から見た斜視図、図２はその電子カメラを裏面側から見た斜視図、図３は図１の電子カメラの撮影部を示した拡大断面図である。
この電子カメラは、図１および図２に示すように、カメラ本体１を備えている。このカメラ本体１の前面における中央部の右寄りには、図１に示すように、撮影部２が設けられており、その上部側には、撮影部２で撮影する被写体の撮影範囲を確認する光学ファインダ３が設けられている。また、このカメラ本体１の前面における上部両側には、それぞれ第１、第２ストロボ部４、５が設けられている。
【００３６】
また、カメラ本体１の上端面には、図１および図２に示すように、シャッタスイッチ６および電源スイッチ７が設けられていおり、このカメラ本体１の裏面には、図２に示すように、表示部８が設けられている。この表示部８は、液晶表示素子やＥＬ表示素子（エレクトロルミネッセンス表示素子）などの平面型の表示素子からなり、撮影する被写体の画像や撮影した被写体の画像を選択的に表示するように構成されている。さらに、このカメラ本体１の裏面における表示部８の上部側には、カメラ本体１の前面から連続する光学ファインダ３が設けられており、また表示部８の右側には、メニューを選択するメニューキー９および表示部８に表示される画像を選択するシフトキー１０が設けられている。
【００３７】
撮影部２は、自動焦点機能（オートフォ−カス機能）およびズーム機能を有するものであり、図３に示すように、カメラ本体１内に設けられた取付筒１１の内部に、その軸方向に沿ってズーム移動可能に設けられている。この撮影部２は、取付筒１１内にその軸方向に沿って移動可能に配置された第１〜第３レンズ枠１２〜１４と、この第１〜第３レンズ枠１２〜１４にそれぞれ取り付けられた第１〜第３レンズ１５〜１７と、取付筒１１内に固定された撮像ユニット１８と、第１〜第３レンズ枠１２〜１４を光軸２ａである取付筒１１の軸方向に沿ってズーム移動させるズーム機構部１９とを備え、第１〜第３レンズ枠１２〜１４がカメラ本体１の前面側に出没するように構成されている。
【００３８】
この場合、撮像ユニット１８は、図３に示すように、取付筒１１内に固定されたハウジング２０を備え、このハウジング２０内に水晶フィルタ２１および保護ガラス２２を介してＣＣＤなどの撮像素子２３を配置した構成になっている。撮像素子２３は、取付筒１１の軸中心である光軸２ａ上に配置され、第１〜第３レンズ１５〜１７で投影された被写体の画像を電気信号に変換して出力するように構成されている。第１、第２レンズ１５、１６はズーム機能用のレンズであり、第３レンズ１７は焦点距離を合わせるためのレンズである。
【００３９】
また、第１〜第３レンズ枠１２〜１４は、図３に示すように、それぞれ円筒状に形成されている。第１レンズ枠１２は第２レンズ枠１３内に移動可能に収納され、第２レンズ枠１３は、第３レンズ枠１４内に移動可能に収納され、第３レンズ枠１４は取付筒１１内に移動可能に収納されている。この場合、第２、第３レンズ枠１３、１４の各周面には、第１、第２レンズ枠１２、１３を軸方向に沿ってガイドするスリット状のガイド孔２４、２５が軸方向に沿って設けられている。また、第１レンズ枠１２の外周面には、第２レンズ枠１３のガイド孔２４に挿入して第３レンズ枠１４のガイド孔２５に挿入するガイド突起が設けられており、第２レンズ枠１３の外周面には、第３レンズ枠１４のガイド孔２５に挿入するガイド突起が設けられている。
【００４０】
ズーム機構部１９は、図３〜図５に示すように、撮影部２に設けられて被写体との距離を測定する距離測定部４３（図８参照）の測定結果に基づいて、第１〜第３レンズ枠１２〜１４を磁力によって移動させるための円筒状の電磁コイル部２６を備えている。この電磁コイル部２６は、多数のコイル部２６ａ〜２６ｎを円筒状に配列形成して、取付筒１１の内周面に設けられた凹部１１ａ内に同心円状に配置され、この状態で各コイル部２６ａ〜２６ｎに選択的に電流を流すことにより、各コイル部２６ａ〜２６ｎがそれぞれ独立して磁界を発生するように構成されている。また、第１、第２レンズ枠１２、１３の各ガイド突起の先端部、および第３レンズ枠１４の外周面には、それぞれ第１〜第３の永久磁石２７〜２９が電磁コイル部２６の内周面に接近した状態で設けられている。この場合、第１〜第３の永久磁石２７〜２９は、電磁コイル部２６の各コイル部２６ａ〜２６ｎのいずれかに対応する大きさに形成されている。
【００４１】
このズーム機構部１９は、距離測定部４３で測定した被写体までの距離に応じて電磁コイル部２６を駆動することにより、第１〜第３レンズ枠１２〜１４を第１〜第３レンズ１５〜１７と共に取付筒１１の中心軸である光軸２ａに沿って移動させるように構成されている。すなわち、このズーム機構部１９は、距離測定部４３による測定結果に基づいて、電磁コイル部２６を駆動すると、各コイル部２６ａ〜２６ｎに選択的に電流が流れて磁界を発生し、この発生した磁界に第１〜第３の永久磁石２７〜２９のいずれかが引き付けられ、この状態で電流が流れるコイル部２６ａ〜２６ｎを順次変えると、これに伴って第１〜第３の永久磁石２７〜２９のいずれかが取付筒１１の軸方向に沿って移動するように構成されている。
【００４２】
例えば、第１レンズ１５を初期位置（電磁コイル部２６内に収納された図４の状態）からズーム移動（電磁コイル部２６の外部に向けて移動）させる場合には、図４に示す初期位置において第１レンズ枠１２の第１の永久磁石２７が対応する電磁コイル部２６のコイル部２６ｄに電流を流して磁界を発生させた後、これに隣接する外側のコイル部２６ｃに電流を流して磁界を発生させると、第１の永久磁石２７がコイル部２６ｃに引き寄せられ、この後、更にこれに隣接する外側のコイル部２６ｂに電流を流して磁界を発生させると、第１の永久磁石２７がコイル部２６ｂに引き寄せられる。このように、この第１レンズ１５は、図４および図５に示すように、第１レンズ枠１２の第１の永久磁石２７が初期位置である電磁コイル部２６のコイル部２６ｄの位置から最外部のコイル部２６ａの位置までの間で移動する。
【００４３】
また、第２レンズ１６を初期位置（電磁コイル部２６内に収納された図４の状態）からズーム移動（電磁コイル部２６の外部に向けて移動）させる場合には、図４に示す初期位置において第２レンズ枠１３の第２の永久磁石２８が対応する電磁コイル部２６のコイル部２６ｇに電流を流して磁界を発生させた後、これに隣接する外側のコイル部２６ｆに電流を流して磁界を発生させると、第２の永久磁石２８がコイル部２６ｆに引き寄せられ、この後、更にこれに隣接する外側のコイル部２６ｅに電流を流して磁界を発生させると、第２の永久磁石２８がコイル部２６ｅに引き寄せられる。このように、この第２レンズ１６は、図４および図５に示すように、第２レンズ枠１３の第２の永久磁石２８が初期位置である電磁コイル部２６のコイル部２６ｇの位置から外部側のコイル部２６ｄの位置までの間で移動する。
【００４４】
さらに、第３レンズ１７を移動させて焦点距離を調節する場合には、図４に示す初期位置において第３レンズ枠１４の第３の永久磁石２９が対応する電磁コイル部２６のコイル部２６ｊに電流を流して磁界を発生させた後、これに隣接する外側のコイル部２６ｉに電流を流して磁界を発生させると、第３の永久磁石２９がコイル部２６ｉに引き寄せられ、この後、更にこれに隣接する外側のコイル部２６ｈに電流を流して磁界を発生させると、第３の永久磁石２９がコイル部２６ｈに引き寄せられる。このように、この第３レンズ１７は、図４および図５に示すように、第３レンズ枠１４の第３の永久磁石２９が初期位置である電磁コイル部２６のコイル部２６ｊの位置から外部側のコイル部２６ｇの位置までの間で移動する。
【００４５】
一方、第１、第２ストロボ部４、５は、図１に示すように、カメラ本体１の正面における上部両側にそれぞれ設けられている。これら第１、第２ストロボ部４、５は、図６および図７に示すように、発光素子３０と、この発光素子３０の光を反射するリフレクタ３１とを備えている。発光素子３０は、発光ダイオード（ＬＥＤ）からなっている。リフレクタ３１は、放物曲面または楕円曲面に形成され、その焦点位置に発光素子３０が配置され、これにより発光素子３０で発光した光をリフレクタ３１の光軸３１ａに対しほぼ平行に反射するように構成されている。この場合、各リフレクタ３１は、その光軸３１ａ上の焦点位置に対応する外面に支持軸３２が設けられ、この支持軸３２が支持部材３３によって回転可能に支持され、この支持軸３２を中心にカメラ本体１の左右方向に向けて回動して光の放射方向が変えられるように構成されている。
【００４６】
また、第１、第２ストロボ部４、５は、図６および図７に示すように、発光素子３０で発光した光の放射方向を撮影時における撮影部２の焦点距離合わせに応じて可変する光照射調節機構３４を備えている。この光照射調節機構３４は、距離測定部４３で測定した被写体までの距離の測定結果に基づいて、ストロボモータ３５を駆動し、このストロボモータ３５によって駆動歯車３６を回転させ、この駆動歯車３６でリフレクタ３１の支持軸３２に設けられた従動歯車３７を回転させることにより、図７（ａ）および図７（ｂ）に示すように、リフレクタ３１を回動させてリフレクタ３１による照射角度を撮影時における撮影部２の焦点距離合わせに応じて調節するように構成されている。
【００４７】
次に、この電子カメラの回路構成について、図８に示すブロック図を参照して説明する。この電子カメラは、予め記憶されたプログラムに従って回路全般を制御するＣＰＵ４０を備えている。このＣＰＵ４０の周辺には、ＣＣＤなどの撮像素子２３からの画像信号を処理する画像処理回路４１と、ズーム機構部１９の電磁コイル部２６を駆動するズーム駆動回路４２と、撮影部２で撮影する被写体までの距離を測定する距離測定部４３を駆動する測定回路４４と、第１、第２ストロボ部４、５の各発光素子３０を駆動する発光駆動回路４５と、光照射調節機構３４のストロボモータ３５を駆動するモータ駆動回路４６と、シャッタスイッチ６および電源スイッチ７の操作に応じた電気信号を処理するスイッチ回路４７と、撮影画像などの情報を表示する表示部８の駆動を制御する表示駆動回路４８と、メニューキー９およびシフトキー１０からの入力信号を処理する入力処理回路４９とが設けられている。
【００４８】
この電子カメラにおける撮影処理の動作フローについて、図９を参照して説明する。この撮影処理は、電源スイッチ７がオンされてメニューキー９で撮影モードが選択されると、この処理フローがスタートし、シャッタスイッチ６が操作されるまで撮影待機状態となる（ステップＳ１）。そして、シャッタスイッチ６が半押し操作されたかを判断し（ステップＳ２）、半押し操作されていなければステップＳ１に戻って撮影待機状態を維持する。また、シャッタスイッチ６が半押し操作されると、撮影部２による被写体までの距離を距離測定部４３で測定し（ステップＳ３）、この測定結果に基づいて自動的に撮影部２の焦点距離を合わせる（ステップＳ４）。このときには、撮影部２のズーム機構部１９の電磁コイル部２６がズーム駆動回路４２によって駆動され、第１〜第３レンズ枠１２〜１４が距離測定部４３の測定結果に応じて移動し、これにより撮影部２の焦点距離を合わせる。
【００４９】
すなわち、第１〜第３レンズ１５〜１７の各初期位置において、第１〜第３レンズ枠１２〜１４の第１〜第３の永久磁石２７〜２９がそれぞれ対応する電磁コイル部２６の各コイル部２６ｄ、２６ｇ、２６ｊに電流を流して磁界を発生させた後、これに隣接する外側の各コイル部２６ｃ、２６ｆ、２６ｉに電流を流して磁界を発生させて第１〜第３レンズ枠１２〜１４の第１〜第３の永久磁石２７〜２９をそれぞれ引き寄せ、この後、更にこれに隣接する外側の各コイル部２６ｂ、２６ｅ、２６ｈに電流を流して磁界を発生させて第１〜第３の永久磁石２７〜２９を各コイル部２６ｂ、２６ｅ、２６ｈにそれぞれ引き寄せる。これにより、第１〜第３レンズ枠１２〜１４を移動させて第１〜第３レンズ１５〜１７による焦点距離を合わせる。
【００５０】
このように第１〜第３レンズ１５〜１７の焦点距離合わせが行われると、光照射調節機構３４によって第１、第２ストロボ部４、５の各リフレクタ３１による光の放射方向を調節する（ステップＳ５）。すなわち、焦点距離合わせが行われるときには、距離測定部４３で被写体までの距離を測定した測定結果に基づいて、モータ駆動回路４６が光照射調節機構３４のストロボモータ３５を駆動し、このストロボモータ３５によって駆動歯車３６を回転させ、この回転に伴ってリフレクタ３１の支持軸３２に設けられた従動歯車３７が回転する。これにより、第１、第２ストロボ部４、５の各リフレクタ３１がその支持軸３２を中心に回動し、撮影部２の光軸２ａに対する各リフレクタ３１の光軸３１ａの交差角度を調節する。
【００５１】
例えば、焦点距離の長い遠くの被写体を撮影するときには、図１０（ａ）に示すように、撮影部２の光軸２ａに対するリフレクタ３１の光軸３１ａの交差角度が小さくなるように、リフレクタ３１の回転角度を小さくし、これにより第１、第２ストロボ部４、５で発光する光を被写体に向けて集中させる。また、焦点距離の短い近くの被写体を撮影するときには、図１０（ｂ）に示すように、撮影部２の光軸２ａに対するリフレクタ３１の光軸３１ａの交差角度が大きくなるように、リフレクタ３１の回転角度を大きくし、これにより第１、第２ストロボ部４、５で発光する光を被写体に向けて集中させる。このような状態でシャッタスイッチ６が完全に押し込まれると、第１、第２ストロボ部４、５をそれぞれ発光させ、その光を各リフレクタ３１で被写体に向けて集中させて照射し、この光が照射された被写体の画像を撮像素子２３で画像データとして取り込み、このフローを終了する。
【００５２】
このように、この電子カメラでは、第１、第２ストロボ部４、５で発光する光の放射方向を光照射調節機構３４によって撮影時における撮影部２の焦点距離に応じて可変させるので、撮影部２で被写体を撮影するときに、光照射調節機構３４によって第１、第２ストロボ部４、５で発光する光の放射方向を撮影時における撮影部２の焦点距離に応じて調節することができる。このため、焦点距離の長い遠くの被写体を撮影するときにも、また焦点距離の短い近くの被写体を撮影するときにも、光照射調節機構３４によって第１、第２ストロボ部４、５で発光した光を被写体に向けて確実に照射させることができるので、遠くの被写体を撮影するときにも、近くの被写体を撮影するときにも、第１、第２ストロボ部４、５で発光した光を確実に被写体に向けて効率良く照射させることができ、これにより被写体そのものを明るく照明することができ、暗い所でも鮮明に被写体を撮影することができる。
【００５３】
この場合、第１、第２ストロボ部４、５が発光素子３０とリフレクタ３１とを２組み備え、光照射調節機構３４が撮影時における撮影部２の焦点距離に応じて２組みの各リフレクタ３１による照射角度を可変させるので、例えば焦点距離の長い遠くの被写体を撮影するときには、撮影部２の光軸２ａに対するリフレクタ３１の光軸３１ａの交差角度が小さくなるように、リフレクタ３１の回転角度を小さくし、また焦点距離の短い近くの被写体を撮影するときには、撮影部２の光軸２ａに対するリフレクタ３１の光軸３１ａの交差角度が大きくなるように、リフレクタ３１の回転角度を大きくし、これにより焦点距離が長くても短くても、第１、第２ストロボ部４、５で発光した光を確実に被写体に向けて集中させて照射することができ、このため被写体を明るく照明することができる。
【００５４】
また、この電子カメラでは、撮影部２のズーム機能部１９を磁力によってズーム移動させるズーム駆動部を、多数のコイル部２６ａ〜２６ｎからなる電磁コイル部２６と、第１〜第３レンズ枠１２〜１４に設けられた永久磁石２７〜２９とで構成したので、機械的にズーム機能部をズーム移動させる構造のものに比べて、撮影部２をコンパクトに構成することができる共に、撮影部２のズーム機能部１９を電磁コイル部２６と永久磁石２７〜２９との磁力によって移動させるので、機構的な部分が少なく、撮影部２が機械的に動作する構造に比べて、構造が簡単で、携帯時における耐衝撃性も高く、衝撃による故障を軽減することができる。
【００５５】
なお、上記実施形態１では、光照射調節機構３４が、距離測定部４３で測定した被写体までの距離の測定結果に基づいて、ストロボモータ３５を駆動し、このストロボモータ３５によって駆動歯車３６を回転させ、この駆動歯車３６で従動歯車３７を回転させて、リフレクタ３１をその支持軸３２を中心に回動させることにより、リフレクタ３１による照射角度を撮影時における撮影部２の焦点距離に応じて調節するように構成したが、これに限らず、例えば撮影時における撮影部２の焦点距離に応じて移動する第３レンズ枠１４に連動させてリフレクタ３１を回動させることにより、リフレクタ３１による照射角度を撮影時における撮影部２の焦点距離に応じて調節するように構成しても良い。このようにすれば、ストロボモータ３５の駆動源が不要で、構造も簡単になり、カメラ全体をコンパクトにすることができると共に、低価格化をも図ることができる。
【００５６】
（実施形態２）
次に、図１１〜図１３を参照して、この発明を電子カメラに適用した実施形態２について説明する。なお、図１〜図１０に示された実施形態１と同一部分には同一符号を付して説明する。
この電子カメラは、図１１および図１２に示すように、カメラ本体１の正面に１つのストロボ部５０を設け、このストロボ部５０による光の放射範囲を撮影時における撮影部２の焦点距離に応じて可変する光照射調節機構５１を備えた構造で、これ以外は実施形態１とほぼ同じ構造になっている。
【００５７】
すなわち、このストロボ部５０は、実施形態１と同様、発光素子３０とリフレクタ３１とからなり、図１２に示すように、リフレクタ３１が放物曲面または楕円曲面に形成され、発光素子３０がリフレクタ３１の焦点位置に対しリフレクタ３１の光軸３１ａに沿って移動するように構成されている。光照射調節機構５１は、距離測定部４３で測定した被写体までの距離の測定結果に基づいて、ストロボモータ５２を駆動し、このストロボモータ５２によって駆動歯車５３を回転させ、この駆動歯車５３で発光素子３０が設けられたラック５４を移動させることにより、発光素子３０をリフレクタ３１の光軸３１ａに沿ってその焦点位置に対する接離方向に移動させ、リフレクタ３１による光の照射範囲を撮影時における撮影部２の焦点距離に応じて調節するように構成されている。
【００５８】
このような電子カメラでは、ストロボ部５０が発光素子３０とリフレクタ３１とからなり、光照射調節機構５１が撮影時における撮影部２の焦点距離合わせに応じてストロボ部５０の発光素子３０をリフレクタ３１の焦点位置に対しその光軸３１ａに沿って移動させることにより、ストロボ部５０による光の照射範囲を調節することができる。このため、焦点距離の長い遠くの被写体を撮影するときにも、また焦点距離の短い近くの被写体を撮影するときにも、ストロボ部５０の光を被写体に向けて照射させることができるので、被写体そのものを明るく照明することができ、暗い所でも鮮明に被写体を撮影することができる。
【００５９】
例えば、焦点距離の長い遠くの被写体を撮影するときには、図１３（ａ）に示すように、光照射調節機構５１が発光素子３０をリフレクタ３１の焦点位置に近づけるように移動させることにより、リフレクタ３１による反射光をリフレクタ３１の光軸３１ａとほぼ平行にし、これにより発光素子３０の光を被写体に向けて集中させて照射することができる。また、焦点距離の短い近くの被写体を撮影するときには、図１３（ｂ）に示すように、光照射調節機構５１が発光素子３０をリフレクタ３１の焦点位置から離れるように移動させることにより、リフレクタ３１による反射光をリフレクタ３１の光軸３１ａに対し拡散放射させ、これにより発光素子３０の光を被写体に向けて拡散させて照射させることができる。このため、この電子カメラでも、実施形態１と同様、被写体そのものを明るく照明することができ、暗い所でも鮮明に被写体を撮影することができる。
【００６０】
なお、上記実施形態２では、光照射調節機構５１が、距離測定部４３で測定した被写体までの距離の測定結果に基づいて、ストロボモータ５２を駆動し、このストロボモータ５２によって駆動歯車５３を回転させ、この駆動歯車５３で発光素子３０が設けられたラック５４を移動させることにより、発光素子３０をリフレクタ３１の光軸３１ａに沿ってその焦点位置に対する接離方向に移動させて、リフレクタ３１による光の照射範囲を撮影時における撮影部２の焦点距離合わせに応じて調節するように構成した場合について述べたが、これに限らず、例えば撮影時における撮影部２の焦点距離合わせに応じて移動する第３レンズ枠１４に連動させて発光素子３０を移動させることにより、リフレクタ３１による光の照射範囲を撮影時における撮影部２の焦点距離合わせに応じて調節するように構成しても良い。このようにすれば、ストロボモータ５２の駆動源が不要で、構造も簡単になり、カメラ全体がコンパクトで低価格なものを得ることができる。
【００６１】
（実施形態３）
次に、図１４および図１５を参照して、この発明を電子カメラに適用した実施形態３について説明する。この場合にも、図１〜図１０に示された実施形態１と同一部分には同一符号を付して説明する。
この電子カメラは、図１５（ａ）および図１５（ｂ）に示すように、カメラ本体１の正面における上部両側に設けられた第１、第２ストロボ部４、５による光の照射方向を撮影時における撮影部２の望遠状態と広角状態とに応じて可変させる光照射調節機構５５を備えた構造で、これ以外は実施形態１とほぼ同じ構造になっている。この場合にも、第１、第２ストロボ部４、５は、実施形態１と同様、発光素子３０と、この発光素子３０の光を反射するリフレクタ３１とをそれぞれ備えている。
【００６２】
これら第１、第２ストロボ部４、５の各リフレクタ３１は、図６および図７に示すように、その光軸３１ａ上の焦点位置に対応する外面に支持軸３２が設けられ、この支持軸３２が支持部材３３によって回転可能に支持され、この支持軸３２を中心にカメラ本体１の左右方向に回動して光の放射方向が変えられるように構成されている。また、光照射調節機構５５は、撮影時における撮影部２の望遠状態と広角状態とに応じてストロボモータ３５を回転させる構造で、実施形態１と同様、ストロボモータ３５の回転によって駆動歯車３６を回転させ、この駆動歯車３６で従動歯車３７を回転させて、リフレクタ３１の支持軸３２を中心にリフレクタ３１を回動させることにより、リフレクタ３１による光の照射角度を調節するように構成されている。
【００６３】
このような電子カメラにおける撮影処理は、図１４の動作フローに示すように、電源スイッチ７がオンされてメニューキー９で撮影モードが選択され、この処理フローがスタートすると、撮影待機状態となり、メニューキー９が操作されて望遠状態と広角状態とのいずれかを選択する（ステップＳ１０）。そして、シャッタスイッチ６が半押し操作されたかを判断し（ステップＳ１１）、半押し操作されていなければステップＳ１に戻って撮影待機状態を維持する。また、シャッタスイッチ６が半押し操作されると、撮影部２の距離測定部４３で被写体までの距離を測定する（ステップＳ１２）。この距離測定部４３による測定結果に基づいて、撮影部２のズーム機構部１９の電磁コイル部２６がズーム駆動回路４２によって駆動され、第１、第２レンズ枠１２、１３を望遠状態または広角状態に移動させると共に、第３レンズ枠１４の焦点距離を合わせる（ステップＳ１３）。
【００６４】
そして、第１、第２レンズ１５、１６が望遠状態または広角状態に設定されて、第３レンズ１７によって焦点距離合わせが行われると、光調節機構５５によって第１、第２ストロボ部４、５の各リフレクタ３１による光の放射方向を調節する（ステップＳ１４）。すなわち、第１、第２レンズ１５、１６が望遠状態または広角状態に設定されると、光調節機構５５が撮影部２の望遠状態または広角状態に応じて第１、第２ストロボ部４、５の各リフレクタ３１をその支持軸３２を中心に回動させ、これにより撮影部２の光軸２ａに対する各リフレクタ３１の光軸３１ａの交差角度を調節する。
【００６５】
例えば、望遠状態で被写体を撮影するときには、図１５（ａ）に示すように、撮影部２の光軸２ａに対するリフレクタ３１の光軸３１ａの交差角度が小さくなるように、リフレクタ３１の回転角度を小さくし、これにより第１、第２ストロボ部４、５で発光する光を被写体に向けて集中させる。また、広角状態で被写体を撮影するときには、図１５（ｂ）に示すように、撮影部２の光軸２ａに対するリフレクタ３１の光軸３１ａの交差角度が大きくなるように、リフレクタ３１の回転角度を大きくし、これにより第１、第２ストロボ部４、５で発光する光を交差させるように被写体に向けて集中させる。このような状態でシャッタスイッチ６が完全に押し込まれると、第１、第２ストロボ部４、５をそれぞれ発光させ、その光を各リフレクタ３１で被写体に向けて集中させて照射し、この光が照射された被写体の画像を撮像素子２３で画像データとして取り込み、このフローを終了する。
【００６６】
このように、この電子カメラでは、撮影部２で被写体を撮影するときに、光照射調節機構５５によって第１、第２ストロボ部４、５による光の放射方向を撮影時における撮影部２の望遠状態と広角状態とに応じて調節するので、望遠状態で被写体を撮影するときにも、また広角状態で被写体を撮影するときにも、光照射調節機構５５によって第１、第２ストロボ部４、５の光を被写体に向けて集中させて照射させることができる。このため、望遠状態でも広角度状態でも、第１、第２ストロボ部４、５で発光した光を確実に被写体に向けて効率良く照射させることができ、これにより被写体そのものを明るく照明することができ、暗い所でも鮮明に被写体を撮影することができる。
【００６７】
この場合、第１、第２ストロボ部４、５が発光素子３０とリフレクタ３１とを２組み備え、光照射調節機構５５が撮影時における撮影部２の望遠状態と広角状態とに応じて２組みの各リフレクタ３１による照射角度を可変させるので、例えば望遠状態で被写体を撮影するときに、撮影部２の光軸２ａに対するリフレクタ３１の光軸３１ａの交差角度が小さくなるように、リフレクタ３１の回転角度を小さくし、また広角状態で被写体を撮影するときに、撮影部２の光軸２ａに対するリフレクタ３１の光軸３１ａの交差角度が大きくなるように、リフレクタ３１の回転角度を大きくし、これにより望遠状態でも広角状態でも、第１、第２ストロボ部４、５で発光した光を確実に被写体に向けて集中させて照射することができ、このため被写体を明るく照明することができる。
【００６８】
なお、上記実施形態３では、光照射調節機構５５が撮影時における撮影部２の望遠状態と広角状態とに応じて２組みの各リフレクタ３１による光の照射角度を可変させるように構成した場合について述べたが、これに限らず、例えば図１１〜図１３に示した実施形態２と同様、カメラ本体１に１つのストロボ部５０を設け、このストロボ部５０による光の放射範囲を撮影時における撮影部２の望遠状態と広角状態とに応じて光照射調節機構５１で可変するように構成しても良い。
【００６９】
この場合にも、ストロボ部５０は、発光素子３０がリフレクタ３１の焦点位置に対しリフレクタ３１の光軸３１ａに沿って移動するように構成されている。また、光照射調節機構５１は、撮影時における撮影部２の望遠状態と広角状態とに基づいて、ストロボモータ５２を駆動し、このストロボモータ５２の駆動歯車５３を回転させ、この駆動歯車５３で発光素子３０が設けられたラック５４を移動させることにより、発光素子３０をリフレクタ３１の光軸３１ａに沿ってその焦点位置に対する接離方向に移動させ、リフレクタ３１による光照射範囲を撮影時における撮影部２の望遠状態と広角状態とに応じて調節するように構成すれば良い。
【００７０】
このような電子カメラにおいても、ストロボ部５０が発光素子３０とリフレクタ３１とからなり、光照射調節機構５１が撮影時における撮影部２の望遠状態と広角状態とに応じてストロボ部５０の発光素子３０をリフレクタ３１の焦点位置に対しその光軸３１ａに沿って移動させることができる。例えば、望遠状態で被写体を撮影するときには、光照射調節機構５１が発光素子３０をリフレクタ３１の焦点位置に近づけるように移動させることにより、リフレクタ３１がその光軸３１ａとほぼ平行な光を放射し、これにより発光素子３０の光を被写体に向けて集中させて照射することができる。
【００７１】
また、広角状態で被写体を撮影するときには、光照射調節機構５１が発光素子３０をリフレクタ３１の焦点位置から離れるように移動させることにより、リフレクタ３１がその光軸３１ａに対し光を拡散放射し、これにより発光素子３０の光を被写体に向けて拡散させて照射させることができる。このため、この電子カメラでも、撮影時の撮影状態が望遠状態であっても、また広角状態であっても、光照射調節機構５１が撮影時における撮影部２の望遠状態と広角状態とに応じてストロボ部５０の光を被写体に向けて確実に照射させることができ、これにより実施形態２、３と同様、被写体そのものを明るく照明することができるので、暗い所でも鮮明に被写体を撮影することができる。
【００７２】
（実施形態４）
次に、図１６〜図２１を参照して、この発明を携帯電話機に適用した実施形態４について説明する。この場合にも、図１〜図１０に示された実施形態１と同一部分には同一符号を付して説明する。
この携帯電話機は、電話機能と撮影機能とを有するものであり、図１６〜図２０に示すように、互いに重なり合う第１ケース６１と第２ケース６２とを備え、これら第１、第２ケース６１、６２を円筒状の回転軸６３によって互いに対向する第１、第２ケース６１、６２の各面方向に沿って回転可能に取り付けると共に、この回転軸６３内にズーム機能を有する撮影部２を設け、この撮影部２の近傍に第１、第２ストロボ部４、５を設けた構成になっている。
【００７３】
第１ケース６１は、図１６および図１８に示すように、ほぼ長方形状に形成され、第２ケース６２と重なり合った状態で外部に露出する外表面の正面に表示部６４および操作部６５が設けられた構成になっている。この場合、表示部６４は、液晶表示素子やＥＬ表示素子（エレクトロルミネッセンス表示素子）などの平面型に表示素子からなり、図１６に示すように、第１ケース６１に沿う細長い長方形状に形成され、電話機能における電話データおよび撮影部２で撮影した画像のデータなどの情報を電気光学的に表示するように構成されている。また、操作部６５は、モードを切り替えるためのジォグダイヤル、電源釦、通話釦などの各種の釦を備え、回転軸６３に対応する個所に設けられている。
【００７４】
第２ケース６２は、図１７および図１８に示すように、第１ケース６１とほぼ同じサイズの大きさに形成されている。この第２ケース６２における第１ケース６１が重なり合う対向面には、キー入力部６７が設けられており、図１７に示す上辺側の側面には、シャッタスイッチ６が設けられているほか、回転軸６３側に位置する第２ケース６２の側面には、アンテナ６６が出没可能に設けられている。この場合、キー入力部６７は、テンキー、メモキー、マナーキーなどの電話機能に必要な各種のキーを備え、図１８に示すように、第２ケース６２の縦長状態において、各キーが第１ケース６１に対向する第２ケース６２の対向面に縦向きで配列されている。
【００７５】
シャッタスイッチ６は、図１７に示すように、回転軸６３の近傍に位置する第２ケース６２の上辺側の側面に設けられ、半分押された第１状態のときに、撮影部２のズーム機能を動作させて被写体に対する焦点距離、および第１、第２ストロボ部４、５による光の放射方向を調節するためのスイッチ信号を出力し、完全に押し込まれた第２状態のときに第１、第２ストロボ部４、５を発光させて撮影部２で被写体の画像を取り込むためのスイッチ信号を出力するように構成されている。
【００７６】
回転軸６３は、図２０に示すように、ほぼ円筒状に形成され、互いに重なり合った第１、第２ケース６１、６２の一端部側（図１７では左端部側）に位置し、第１ケース６１の内部から第２ケース６２を貫通してその背面側（図２０では左側）に露出した状態で、第１、第２ケース６１、６２に取り付けられている。すなわち、この回転軸６３は、第１ケース６１側に位置する一端部側（図２０では右部側）が第１ケース６１内に固定され、第２ケース６２側に位置する他端部側（同図では左部側）が第２ケース６２に回転可能に取り付けられ、これにより第１、第２ケース６１、６２が互いに対向する面方向に沿って相対的に回転するように構成されている。
【００７７】
このため、第１、第２ケース６１、６２は、図１８および図１９に示すように、回転軸６３を中心に互いに対向する第１、第２ケース６１、６２の各対向面に沿って相対的に回転することにより、図１６および図１７に示すように互いに重なり合って閉じた状態になると共に、図１８および図１９に２点鎖線または実線で示すように第１、第２ケース６１、６２が相対的に所定角度、例えば９０°または１８０°回転して互いに開いた状態になるように構成されている。なお、第１、第２ケース６１、６２は、回転軸６３を介して接続部材（図示せず）によって電気的に接続されている。
【００７８】
撮影部２は、実施形態１と同様、自動焦点機能（オートフォ−カス機能）およびズーム機能を有するものであり、図２０に示すように、第１、第２ケース６１、６２の円筒状の回転軸６３の内部に、その軸方向に沿ってズーム移動可能に設けられている。すなわち、この撮影部２は、回転軸６３内にその軸方向に沿って移動可能に配置された第１〜第３レンズ枠１２〜１４と、この第１〜第３レンズ枠１２〜１４にそれぞれ取り付けられた第１〜第３レンズ１５〜１７と、回転軸６３内に設けられた撮像ユニット１８と、第１〜第３レンズ枠１２〜１４を光軸２ａである回転軸６３の軸方向に沿ってズーム移動させるズーム機構部１９とを備えている。この場合にも、撮像ユニット１８は、回転軸６３内に固定されたハウジング２０を備え、このハウジング２０内に水晶フィルタ２１および保護ガラス２２を介してＣＣＤなどの撮像素子２３を配置した構成になっている。
【００７９】
ズーム機構部１９は、実施形態１と同様、撮影部２に設けられて被写体との距離を測定する距離測定部４３（図２１参照）からの測定結果に基づいて、第１〜第３レンズ枠１２〜１４を磁力によって移動させるための円筒状の電磁コイル部２６を備えている。この電磁コイル部２６は、多数のコイル部２６ａ〜２６ｎを円筒状に配列形成して、回転軸６３の内周面に設けられた凹部６３ａ内に同心円状に配置され、この状態で各コイル部２６ａ〜２６ｎに選択的に電流を流すことにより、各コイル部２６ａ〜２６ｎがそれぞれ独立して磁界を発生するように構成されている。また、第１〜第３レンズ枠１２〜１４の各外周部には、第１〜第３の永久磁石２７〜２９が電磁コイル部２６の内周面に接近した状態で設けられている。この場合、第１〜第３の永久磁石２７〜２９は、電磁コイル部２６の各コイル部２６ａ〜２６ｎのいずれかに対応する大きさに形成されている。
【００８０】
一方、第２ケース６２における撮影部２の近傍にそれぞれ設けられた第１、第２ストロボ部４、５は、実施形態１と同様、発光素子３０と、この発光素子３０の光を反射するリフレクタ３１とをそれぞれ備えている。発光素子３０は、発光ダイオード（ＬＥＤ）からなっている。リフレクタ３１は、図６および図７に示すように、放物曲面または楕円曲面に形成され、その焦点位置に発光素子３０が配置され、これにより発光素子３０で発光した光をリフレクタ３１の光軸３１ａに対しほぼ平行に反射するように構成されている。この場合、各リフレクタ３１は、その光軸３１ａ上の焦点位置に対応する外面に支持軸３２が設けられ、この支持軸３２が支持部材３３によって回転可能に支持され、この支持軸３２を中心に第２ケース６２の左右方向に回動して光の放射方向が変えられるように構成されている。
【００８１】
また、第１、第２ストロボ部４、５は、発光素子３０で発光した光の放射方向を撮影時における撮影部２の焦点距離に応じて可変する光照射調節機構３４を備えている。この光照射調節機構３４も、実施形態１と同様、距離測定部４３で測定した被写体までの距離の測定結果に基づいて、ストロボモータ３５を駆動し、このストロボモータ３５によって駆動歯車３６を回転させ、この駆動歯車３６で従動歯車３７を回転させて、リフレクタ３１の支持軸３２を中心にリフレクタ３１を回動させることにより、リフレクタ３１による照射角度を撮影時における撮影部２の焦点距離に応じて調節するように構成されている。
【００８２】
次に、この携帯電話機の回路構成について、図２１に示すブロック図を参照して説明する。この携帯電話機は、実施形態１の電子カメラと同様、回路全般を制御するＣＰＵ４０を備えており、このＣＰＵ４０の周辺にも、実施形態１と同様、ＣＣＤなどの撮像素子２３の画像処理回路４１、ズーム機構部１９のズーム駆動回路４２、撮影する被写体までの距離を測定する距離測定部４３の測定回路４４、第１、第２ストロボ部４、５の各発光素子３０を駆動する発光駆動回路４５、光照射調節機構３４のモータ駆動回路４６、シャッタスイッチ６のスイッチ回路４７、電話情報や撮影画像などの情報を表示する表示部６４の表示駆動回路４８、操作部６５およびキー入力部６７の入力処理回路４９が設けられているほか、通話情報や画像情報などの情報を送信情報を処理してアンテナ６６に送ると共にアンテナ６６で受信した受信信号を処理する送受信回路６８が設けられている。
【００８３】
このような携帯電話機では、電話機能と撮影機能とを備えているので、電話機能によって通信をすることができると共に、撮影機能によって被写体を撮影することができ、この撮影した被写体の画像を表示部６４に表示させて見ることができる。すなわち、電話機能で通信をする場合には、図１８および図１９に実線で示すように、回転軸６３を中心に第１、第２ケース６１、６２をその各面方向に沿って相対的にほぼ１８０°回転させて、第１、第２ケース６１、６２を互いに開く。これにより、図１８に示すように、第２ケース６２のキー入力部６７が第１ケース６１の表示部６４の表示面と同じ向きで露出する。この状態で、操作部６５およびキー入力部６７を入力操作して通信相手と通話したり、通信相手にメールを送信したり、あるいは後述するように撮影した被写体の画像を送信したりすることができる。
【００８４】
また、撮影部２で被写体を撮影する場合には、図１６および図１７に示すように、第１、第２ケース６１、６２を互いに重ね合わせて閉じ、この状態で第１、第２ケース６１、６２を横向きにしてその両側から両手で挟むように掴む。このときには、第１ケース６１の表示部６４を使用者側に向けると、回転軸６３内に設けられた撮影部２が被写体側に向く。この状態で、回転軸６３の近傍に位置する第２ケース６２の側面に設けられたシャッタスイッチ６を半分押し込んだ第１状態にすると、実施形態１と同様、被写体までの距離を距離測定部４３で測定し、この測定結果に基づいて焦点距離合わせをする。
【００８５】
すなわち、このときには、図４および図５に示したように、第１〜第３レンズ１５〜１７の各初期位置において第１〜第３レンズ枠１２〜１４の第１〜第３の永久磁石２７〜２９がそれぞれ対応する電磁コイル部２６の各コイル部２６ｄ、２６ｇ、２６ｊに電流を流して磁界を発生させた後、これに隣接する外側の各コイル部２６ｃ、２６ｆ、２６ｉに電流を流して磁界を発生させて第１〜第３レンズ枠１２〜１４の第１〜第３の永久磁石２７〜２９をそれぞれ引き寄せ、この後、更にこれに隣接する外側の各コイル部２６ｂ、２６ｅ、２６ｈに電流を流して磁界を発生させて第１〜第３の永久磁石２７〜２９を各コイル部２６ｂ、２６ｅ、２６ｈにそれぞれ引き寄せることにより、第１〜第３レンズ枠１２〜１４を移動させて第１〜第３レンズ１５〜１７による焦点距離合わせをする。
【００８６】
このように第１〜第３レンズ１５〜１７の焦点距離合わせが行われると、図６および図７に示したように、光照射調節機構３４によって第１、第２ストロボ部４、５の各リフレクタ３１による光の放射方向を調節する。このときには、距離測定部４３で測定した測定結果に基づいて、モータ駆動回路４６が光照射調節機構３４のストロボモータ３５を駆動し、このストロボモータ３５によって駆動歯車３６を回転させ、この回転に伴ってリフレクタ３１の支持軸３２に設けられた従動歯車３７が回転する。これにより、第１、第２ストロボ部４、５の各リフレクタ３１がその支持軸３２を中心に回動し、撮影部２の光軸２ａに対する各リフレクタ３１の光軸３１ａの交差角度を調節する。
【００８７】
例えば、焦点距離の長い遠くの被写体を撮影するときには、図１０（ａ）に示したように、撮影部２の光軸２ａに対するリフレクタ３１の光軸３１ａの交差角度が小さくなるように、リフレクタ３１の回転角度を小さくし、これにより第１、第２ストロボ部４、５で発光する光を被写体に向けて集中させる。また、焦点距離の短い近くの被写体を撮影するときには、図１０（ｂ）に示したように、撮影部２の光軸２ａに対するリフレクタ３１の光軸３１ａの交差角度が大きくなるように、リフレクタ３１の回転角度を大きくし、これにより第１、第２ストロボ部４、５で発光する光を被写体に向けて集中させる。このような状態でシャッタスイッチ６が完全に押し込まれると、第１、第２ストロボ部４、５をそれぞれ発光させ、その光を各リフレクタ３１で被写体に向けて集中させて照射し、この光が照射された被写体の画像を撮像素子２３で画像データとして取り込む。
【００８８】
また、この携帯電話機では、必ずしも第１、第２ケース６１、６２を互いに重ね合わせて閉じた状態で撮影する必要はなく、第１、第２ケース６１、６２を相対的に面方向に回転させて開いた状態、例えば図１８に２点鎖線または実線で示すように、第１、第２ケース６１、６２を相対的に９０°または１８０°回転させて開いた状態でも撮影することができる。このときには、第２ケース６２の背面側に左手の掌を当てがって第２ケース６２を左手で掴むと、左手の親指がシャッタスイッチ６に接触する位置に配置されるので、片手で第２ケース２を持った状態で容易にシャッタスイッチ６を操作することができる。このときにも、表示部６４に被写体の画像を表示させ、この表示された被写体の画像を見ながら被写体を撮影することができる。
【００８９】
このように、この携帯電話機においても、実施形態１と同様、光照射調節機構３４によって第１、第２ストロボ部４、５で発光する光の放射方向を撮影時における撮影部２の焦点距離に応じて可変させるので、撮影部２で被写体を撮影するときに、光照射調節機構３４で第１、第２ストロボ部４、５による光の放射方向を調節することができる。すなわち、焦点距離の長い遠くの被写体を撮影するときにも、また焦点距離の短い近くの被写体を撮影するときにも、光照射調節機構３４が撮影時における撮影部２の焦点距離に応じて第１、第２ストロボ部４、５の光を被写体に向けて照射させることができる。このため、遠くの被写体を撮影するときにも、近くの被写体を撮影するときにも、第１、第２ストロボ部４、５で発光した光を確実に被写体に向けて効率良く照射させることができ、これにより被写体そのものを明るく照明することができ、暗い所でも鮮明に被写体を撮影することができる。
【００９０】
この場合、第１、第２ストロボ部４、５が発光素子３０とリフレクタ３１とを２組み備え、光照射調節機構３４が撮影時における撮影部２の焦点距離に応じて２組みの各リフレクタ３１による照射角度を可変させるので、例えば焦点距離の長い遠くの被写体を撮影するときに、撮影部２の光軸２ａに対するリフレクタ３１の光軸３１ａの交差角度が小さくなるように、リフレクタ３１の回転角度を小さくし、また焦点距離の短い近くの被写体を撮影するときに、撮影部２の光軸２ａに対するリフレクタ３１の光軸３１ａの交差角度が大きくなるように、リフレクタ３１の回転角度を大きくし、これにより焦点距離が長くても短くても、第１、第２ストロボ部４、５で発光した光を被写体に向けて集中させて照射することができ、このため被写体を明るく照明することができる。
【００９１】
また、この携帯電話機では、撮影部２のズーム機能部１９を磁力によってズーム移動させるズーム駆動部を、多数のコイル部２６ａ〜２６ｎからなる電磁コイル部２６と、第１〜第３レンズ枠１２〜１４に設けられた永久磁石２７〜２９とで構成したので、機械的にズーム機能部をズーム移動させる構造のものに比べて、撮影部２をコンパクトに構成することができる共に、撮影部２のズーム機能部１９をズーム駆動部の電磁コイル部２６と永久磁石２７〜２９との磁力によって移動させるので、機構的な部分が少なく、撮影部２が機械的に動作する構造に比べて、構造が簡単で、携帯時における耐衝撃性も高く、衝撃による故障を軽減することができる。
【００９２】
なお、上記実施形態４では、光照射調節機構３４が撮影時における撮影部２の焦点距離に応じて２組みの各リフレクタ３１による照射角度を可変させるように構成した場合について述べたが、これに限らず、例えば図１１〜図１３に示した実施形態２と同様、第２ケース６２に１つのストロボ部５０を設け、このストロボ部５０による光の放射範囲を撮影時における撮影部２の焦点距離に応じて光照射調節機構５１で可変するように構成しても良く、また必ずしも撮影時における焦点距離に応じてリフレクタ３１による照射角度および光の放射範囲を可変させる必要はなく、例えば実施形態３およびその変形例のように、撮影時における撮影部２の望遠状態と広角状態とに応じてリフレクタ３１による照射角度および照射範囲を可変させるように構成しても良い。
【００９３】
また、上記実施形態４では、第１、第２ケース６１、６２が回転軸６３によって互いに対向する第１、第２ケース６１、６２の各面方向に沿って回転するように構成した場合について述べたが、これに限らず、第１、第２ケースを回転軸によって互いに起立横倒する方向に回動可能に開くように連結した折り畳み式の構造にしても良い。この場合には、第１、第２ケースの各対向面にそれぞれ表示部とキー入力部とを設け、これにより第１、第２ケースを閉じたときに表示部とキー入力部とが互いに対面するように構成すれば良い。
【００９４】
さらに、上記実施形態１〜４およびその変形例では、電子カメラまたは携帯電話機に適用した場合について述べたが、これに限らず、ＰＤＡ（パーソナル・デジタル・アシスタント）などの携帯端末機にも適用することができる。
【図面の簡単な説明】
【００９５】
【図１】この発明を電子カメラに適用した正面側の斜視図である。（実施形態１）
【図２】図１の電子カメラを裏面側から見た斜視図である。
【図３】図１の撮影部を拡大して示した断面図である。
【図４】図３の撮影部を原理的に示した非撮影時の断面図である。
【図５】図４の撮影部の第１〜第３レンズを移動させた状態の断面図である。
【図６】図１の第１、第２ストロボ部の構成を原理的に示した正面図である。
【図７】図６の第１、第２ストロボ部の動作状態を示し、（ａ）はリフレクタをその光軸が撮影部の光軸とほぼ平行になるように回転させた状態を示した図、（ｂ）はリフレクタをその光軸が撮影部の光軸に対し交差するように回転させた状態を示した図である。
【図８】図１の電子カメラの回路構成を示したブロック図である。
【図９】図８の回路構成における撮影処理の動作フローを示した図である。
【図１０】図１の電子カメラにおける第１、第２ストロボ部の発光状態を示し、（ａ）は焦点距離の長い遠くの被写体を撮影するときの第１、第２ストロボ部による光照射状態を示した図、（ｂ）は焦点距離の短い近くの被写体を撮影するときの第１、第２ストロボ部による光照射状態を示した図である。
【図１１】この発明を電子カメラに適用した正面側の斜視図である。（実施形態２）
【図１２】図１１のストロボ部を原理的に示した構成図である。
【図１３】図１２のストロボ部の動作状態を示し、（ａ）は発光素子をリフレクタの焦点位置に移動させた状態を示した図、（ｂ）は発光素子をリフレクタの焦点位置から離れる方向に移動させた状態を示した図である。
【図１４】この発明を電子カメラに適用した撮影処理の動作フローを示した図である。（実施形態３）
【図１５】図１４の電子カメラにおける第１、第２ストロボ部の発光状態を示し、（ａ）は焦点距離の長い遠くの被写体を撮影するときの第１、第２ストロボ部による光照射状態を示した図、（ｂ）は焦点距離の短い近くの被写体を撮影するときの第１、第２ストロボ部による光照射状態を示した図である。
【図１６】この発明を携帯電話機に適用した撮影時における正面図である。（実施形態４）
【図１７】図１６の携帯電話機の背面図である。
【図１８】図１６の携帯電話機を開いて使用する状態を示した正面図である。
【図１９】図１８の背面図である。
【図２０】図１９における回転軸内に設けられた撮影部を拡大した断面図である。
【図２１】図１６の携帯電話機の回路構成を示したブロック図である。
【符号の説明】
【００９６】
１  カメラ本体
２  撮影部
４、５  第１、第２ストロボ部
６  シャッタスイッチ
８  表示部
９  メニューキー
１１  取付筒
１２〜１４  第１〜第３レンズ枠
１５〜１７  第１〜第３レンズ
１９  ズーム機構部
２３  撮像素子
２６  電磁コイル部
２７〜２９  永久磁石
３０  発光素子
３１  リフレクタ
３４、５１、５５  光照射調節機構
４０  ＣＰＵ
４３  距離測定部
５０  ストロボ部
６１  第１ケース
６２  第２ケース
６３  回転軸
【図１】
2005107073.tif 000003
【図２】
2005107073.tif 000004
【図３】
2005107073.tif 000005
【図４】
2005107073.tif 000006
【図５】
2005107073.tif 000007
【図６】
2005107073.tif 000008
【図７】
2005107073.tif 000009
【図８】
2005107073.tif 000010
【図９】
2005107073.tif 000011
【図１０】
2005107073.tif 000012
【図１１】
2005107073.tif 000013
【図１２】
2005107073.tif 000014
【図１３】
2005107073.tif 000015
【図１４】
2005107073.tif 000016
【図１５】
2005107073.tif 000017
【図１６】
2005107073.tif 000018
【図１７】
2005107073.tif 000019
【図１８】
2005107073.tif 000020
【図１９】
2005107073.tif 000021
【図２０】
2005107073.tif 000022
【図２１】
2005107073.tif 000023